(57)【要約】【課題】接続関係の把握に手間とコストがかかるという問題を解決すること。【解決手段】両端に接続端を有する接続ケーブルと、前記接続ケーブルの両端に接続される一対の装置と、を接続するときにそれぞれ設定値を入力し、当該入力した各設定値を、前記一対の装置とネットワークを介して接続される管理サーバにそれぞれ送信し、当該管理サーバで前記一対の装置よりそれぞれ送信された設定値を管理することで、容易かつ低コストで接続関係を把握することを可能にする。【選択図】図２
2014194681.tif 000002
【特許請求の範囲】
【請求項１】
両端に接続端を有する接続ケーブルと、
前記接続ケーブルの両端に接続される一対の装置と、
前記一対の装置とそれぞれネットワークを介して接続される管理サーバと、を備え、
前記装置は、前記接続ケーブルの前記接続端が接続される被接続部と、
前記被接続部に前記接続ケーブルの前記接続端を接続するときに設定する設定値を入力可能な設定値入力部と、
前記設定値入力部に入力された前記設定値を前記管理サーバへ送信する設定値送信部と、を備え、
前記管理サーバは、
前記一対の装置が備える前記設定値送信部からそれぞれ送信された各前記設定値を受信して管理する、
接続状況把握システム。
【請求項２】
請求項１に記載の接続状況把握システムであって、
前記装置が備える前記被接続部は、当該被接続部の被接続箇所を可動させることで前記設定値を入力可能である前記設定値入力部を備えて構成されている、
接続状況把握システム。
【請求項３】
請求項２に記載の接続状況把握システムであって、
前記被接続部が備える前記設定値入力部は、前記被接続箇所が回転することで前記設定値を入力可能なよう構成されている、
接続状況把握システム。
【請求項４】
請求項２又は３に記載の接続状況把握システムであって、
前記管理サーバは、
前記一対の装置が備える前記設定値送信部からそれぞれ送信された各前記設定値が同一である、またはあらかじめ設定された基準に基づいて相互に対応する、と判断される場合に、当該一対の装置が接続関係にあると判断する接続判定部を備える、
接続状況把握システム。
【請求項５】
請求項４に記載の接続状況把握システムであって、
前記管理サーバが複数の一対の装置から設定値を受信する場合に、
前記接続判定部は、前記管理サーバが受信した複数の各前記設定値のうち、同一である、またはあらかじめ設定された基準に基づいて相互に対応する、設定値を一対の設定値と認定し、当該一対の設定値を持つ一対の装置は、接続関係にあると判断する、
接続状況把握システム。
【請求項６】
接続ケーブルの両端に設けられた接続端に接続される装置であって、
前記装置は、前記接続ケーブルの前記接続端が接続される被接続部と、
前記被接続部に前記接続ケーブルの前記接続端を接続するときに設定する設定値を入力可能な設定値入力部と、
前記設定値入力部に入力された前記設定値を前記管理サーバへ送信する設定値送信部と、
を有する装置。
【請求項７】
請求項６に記載の装置であって、
前記被接続部は、当該被接続部の被接続箇所を可動させることで前記設定値を入力可能である前記設定値入力部を備えて構成されている、
装置。
【請求項８】
両端に接続端を有する接続ケーブルと、前記接続ケーブルの両端に接続される一対の装置と、前記装置とそれぞれ接続される管理サーバと、を備え、
前記装置は、前記接続ケーブルの前記接続端が接続される被接続部と、
設定値を入力可能な設定値入力部と、
前記設定値入力部に入力された前記設定値を前記理サーバへ送信する設定値送信部と、を備える、接続状況把握システムにて、
前記被接続部に前記接続ケーブルの前記接続端を接続する際に、前記設定値入力部で前記設定値を入力し、前記設定値入力部で入力した前記設定値を前記設定値送信部で管理サーバへと送信し、
管理サーバは、前記一対の装置からそれぞれ受信した前記設定値が、あらかじめ設定された基準に基づいて相互に対応すると判断される場合に、当該一対の装置が接続関係にあると判断する、
接続状況把握方法。
【請求項９】
請求項８に記載の接続状況把握方法であって、
前記設定値の入力は、
前記被接続部に前記接続ケーブルの前記接続端を接続する際に、前記被接続部を可動させて設定値を入力することで行われる、
接続状況把握方法。
【発明の詳細な説明】
【技術分野】
【０００１】
本発明は、接続状況把握システムに係り、特に一本の接続ケーブルで接続される装置と装置との接続状況を把握する接続状況把握システムに関する。
【背景技術】
【０００２】
近年、情報の電子化に伴い、様々な電子機器が使用されており、確実な電源の確保の重要性が増している。例えば、ストレージ装置やスイッチ装置などの情報処理装置の中には常時稼働されているものがあるが、それらを使用中に停電などの問題が生じた場合、突然の電源断による装置自体の故障やデータの破損などの問題が生じかねない。そのような問題が生じることを防ぐ為に、停電などの問題が生じた際でも情報処理装置をシャットダウンさせるために必要な電力を確保することが必要になる。そこで、情報処理装置に無停電電源装置（ＵＰＳ）を接続しておくことで、停電などの問題が発生した際にも、確実な電源の確保を可能とし、無停電電源装置の供給する電力を利用して、情報処理装置をシャットダウンさせるような工夫がなされている。
【０００３】
情報処理装置のシャットダウンは、例えば、ＵＰＳ及び情報処理装置を、ネットワークを介して管理コンピュータへと接続し管理する、ネットワークを利用したＵＰＳ管理システムを用いて行われている。具体的には、停電の発生を検知すると、ＵＰＳを管理する管理コンピュータは、ＵＰＳから電力を供給する情報処理装置に対し停止（シャットダウン）するよう指示する。そして、管理コンピュータからの指示で情報処理装置が停止した事を確認した後に、ＵＰＳに対して電力の供給の停止を指示し、その指示を受け、ＵＰＳは電力の供給を停止する、という管理を行う。
【０００４】
上述した指示を管理コンピュータが情報処理装置へとするために、ＵＰＳとＵＰＳが電力を供給する情報処理装置との接続関係を予め認識する必要がある。しかし、電力ケーブルで接続されている機器の接続を把握することは、一般には困難である。そのため、接続の関係の把握は、事前に手動で行っておく必要があった。
【０００５】
上記課題を解決するため、例えば、特許文献１に記載されているように、電力ケーブルを通信にも使用するＰＬＣ（Ｐｏｗｅｒ  Ｌｉｎｅ  Ｃｏｍｍｕｎｉｃａｔｉｏｎ）を利用した方式が考案されている。
【先行技術文献】
【特許文献】
【０００６】
【特許文献１】特開２００９−２５４１７６号公報
【発明の概要】
【発明が解決しようとする課題】
【０００７】
しかし、上述したＰＬＣを用いた方式は、本来通信に用いることを想定していない電源ケーブルを通信に利用する方式である。また、ＵＰＳ側、コンピュータ側、電力インフラにと非常にコストのかかる方式である。
【０００８】
そのため、本来意図していない電源ケーブルを通信に使用するため、漏洩電磁波が生じ、無線通信等と干渉する恐れがある。また、ＵＰＳと情報通信機器との接続関係を事前に手動で入力しておくのも、非常に手間がかかる。
【０００９】
以上のように、ＵＰＳとＵＰＳが電力を供給する情報処理装置との接続関係を認識するために、非常に手間がかかるという問題が生じていた。また、ＰＬＣを用いると、電源ケーブルを本来意図していない通信に使用する必要があり、コストもかかる、という問題も生じていた。
【００１０】
そこで、本発明の目的は、上述した課題である、接続関係の把握に、手間とコストがかかる、という問題を解決することにある。
【課題を解決するための手段】
【００１１】
かかる目的を達成するため本発明の一形態である接続状況把握システムは、
両端に接続端を有する接続ケーブルと、
前記接続ケーブルの両端に接続される一対の装置と、
前記一対の装置とそれぞれネットワークを介して接続される管理サーバと、を備え、
前記装置は、前記接続ケーブルの前記接続端が接続される被接続部と、
前記被接続部に前記接続ケーブルの前記接続端を接続するときに設定する設定値を入力可能な設定値入力部と、
前記設定値入力部に入力された前記設定値を前記管理サーバへ送信する設定値送信部と、を備え、
前記管理サーバは、
前記一対の装置が備える前記設定値送信部からそれぞれ送信された各前記設定値を受信して管理する、
という構成を採る。
【００１２】
また、本発明の他の形態である接続状況把握装置は、
接続ケーブルの両端に設けられた接続端に接続される装置であって、
前記装置は、前記接続ケーブルの前記接続端が接続される被接続部と、
前記被接続部に前記接続ケーブルの前記接続端を接続するときに設定する設定値を入力可能な設定値入力部と、
前記設定値入力部に入力された前記設定値を前記管理サーバへ送信する設定値送信部と、
を有する、
という構成を採る。
【００１３】
また、本発明の他の形態である接続状況把握方法は、
両端に接続端を有する接続ケーブルと、前記接続ケーブルの両端に接続される一対の装置と、前記装置とそれぞれ接続される管理サーバと、を備え、
前記装置は、前記接続ケーブルの前記接続端が接続される被接続部と、
設定値を入力可能な設定値入力部と、
前記設定値入力部に入力された前記設定値を前記理サーバへ送信する設定値送信部と、を備える、接続状況把握システムにて、
前記被接続部に前記接続ケーブルの前記接続端を接続する際に、前記設定値入力部で前記設定値を入力し、前記設定値入力部で入力した前記設定値を前記設定値送信部で管理サーバへと送信し、
管理サーバは、前記一対の装置からそれぞれ受信した前記設定値が、あらかじめ設定された基準に基づいて相互に対応すると判断される場合に、当該一対の装置が接続関係にあると判断する、
という構成を採る。
【発明の効果】
【００１４】
本発明は、以上のように構成されることにより、接続関係の把握を、容易かつ低コストに実現することができる。
【図面の簡単な説明】
【００１５】
【図１】本発明の第一の実施形態における接続関係把握システムの構成を示す図である。
【図２】第一の実施形態の構成を示すブロック図である。
【図３】第一の実施形態における設定値入力部の構成の一例を示す図である。
【図４】第一の実施形態において、無停電電源装置から設定値を取得する際の情報の流れを示すブロック図である。
【図５】第一の実施形態において、情報処理装置から設定値を取得する際の情報の流れを示すブロック図である。
【図６】図４に開示した管理コンピュータの動作を示したフローチャートである。
【図７】図４に開示した無停電電源装置の動作を示したフローチャートである。
【図８】図４に開示した無停電電源装置の動作後の管理コンピュータの動作を示したフローチャートである。
【図９】図５に開示した管理コンピュータの動作を示したフローチャートである。
【図１０】図５に開示した情報処理装置の動作を示したフローチャートである。
【図１１】図５に開示した情報処理装置の動作後の管理コンピュータの動作を示したフローチャートである。
【図１２】第一の実施形態における接続判定の動作を示したフローチャートである。
【図１３】第二の実施形態の構成を示した図である。
【図１４】図１３の場合において情報管理部に管理される情報を示した図である。
【発明を実施するための形態】
【００１６】
＜実施形態１＞
本発明の第一の実施形態を、図１乃至図１２を用いて説明する。図１は、本実施形態における接続関係把握システムの基本的な構成を示した図である。図２は、本実施形態における接続関係把握システムの構成を示したブロック図である。図３は、設定値入力部の構成の一例である。図４乃至図５は、本実施形態における情報の流れを示したブロック図である。図６乃至図１１は、本実施形態における動作の流れを示したフローチャートである。図１２は、本実施形態における接続判定のフローチャートである。
【００１７】
（構成）
第一の実施形態に係る接続状況把握システムは、図１に示すように、無停電電源装置１ａと、無停電電源装置１ａと接続される情報処理装置１ｂと、管理コンピュータ３と、により構成される。
【００１８】
まず、本実施形態の構成うち、一般的な構成を説明する。
【００１９】
本実施形態において、無停電電源装置１ａと、情報処理装置１ｂとは、電源ケーブル１０（接続ケーブル）を介して接続される一対の装置を形成している。電源ケーブル１０は、両端に電源プラグ２ａ、２ｂ（接続端）を備える、一般的な電源ケーブルである。
【００２０】
無停電電源装置１ａは、電源ケーブル１０の端部である電源プラグ２ａを差し込むための、電源アウトレット１１ａ（被接続部）を備える。情報処理装置１ｂも同様に、電源ケーブル１０のもう一方の端部である電源プラグ２ｂを差し込むための、電源インレット１１ｂ（被接続部）を備える。上述した電源アウトレット１１ａ及び電源インレット１１ｂに、電源ケーブル１０が備える電源プラグ１ａ、１ｂを差し込むことで、無停電電源装置１ａと情報処理装置１ｂとは、電源ケーブル１０を介して接続される。
【００２１】
無停電電源装置１ａと管理コンピュータ３とは、ネットワークを介して接続される。情報処理装置１ｂと管理コンピュータ３とも同様に、ネットワークを介して接続される。本実施形態においては、無停電電源装置１ａと管理コンピュータ３とは、情報を送信するために、例えばＵＳＢケーブル１０３ａで接続する。情報処理装置２ｂと管理コンピュータ３とも同様に、情報を送信するために、ＵＳＢケーブル１０３ｂで接続する。無停電電源装置１ａと管理コンピュータ及び情報処理装置１ｂと管理コンピュータ３の間で送受信される情報の内容は後述する。
【００２２】
管理コンピュータ３は、無停電電源装置１ａ及び情報処理装置１ｂと、ＵＳＢケーブル１０３ａ、１０３ｂを介して情報を送受信し、送信する情報、受信した情報を管理する一般的な情報処理装置である。例えば、サーバやストレージ装置が該当する。
【００２３】
ここで、無停電電源装置１ａは、交流出力のもの、直流出力のもの、いずれでもよい。また、無停電電源装置１ａの接続先は情報処理装置１ｂである場合に限られない。パーソナルコンピュータや外付けのハードディスク、ハブ等のネットワーク装置など、いかなる装置でもよい。また、本発明は、電源ケーブル１０の接続先に無停電電源装置１ａが含まれなくとも実施可能である。例えば、情報処理装置と情報処理装置との接続関係を把握するために本発明を使用することも可能である。本発明は、接続ケーブル１０の接続先に依存しない。
【００２４】
本実施形態において、無停電電源装置１ａと情報処理装置１ｂとは、電源ケーブル１０で接続される。しかし、本発明において、無停電電源装置１ａと情報処理装置１ｂとをつなぐ接続ケーブルは、電源ケーブル１０に限定されない。情報の送受信を行うことも可能な、ＵＳＢケーブルなどを用いることも可能である。これに伴い、電源ケーブル１０の両端に設けられる電源プラグ２ａ、２ｂも、ＵＳＢコネクタなど接続ケーブルの種類に対応したものになる。
【００２５】
無停電電源装置１ａと管理サーバ３との間の接続もＵＳＢケーブル用いて接続する場合に限定されない。情報処理装置１ｂと管理サーバ３との間の接続も同様である。ＬＡＮケーブルなどを用いてもよいし、有線ではなく、無線通信で後述する情報の送受信をしても構わない。無停電電源装置１ａと管理サーバ３と、または、情報処理装置１ｂと管理サーバ３と、の間で行われるデータ通信は特定の方式に依存しない。
【００２６】
次に、本実施形態におけるシステムの具体的な構成を、図２を用いて説明する。まず無停電電源装置１ａの構成について説明する。
【００２７】
上述したように、無停電電源装置１ａが備える電源アウトレット１１ａは、電源プラグ２ａの接続先となり、無停電電源装置１ａから電力を出力する出力端として構成されている。つまり、電源ケーブル１０と無停電電源装置１ａとは、電源ケーブル１０の備える電源プラグ２ａを、無停電電源装置１ａの備える電源アウトレット１１ａへと接続することで、接続される。
【００２８】
また、電源アウトレット１１ａは、電源プラグ２ａを電源アウトレット１１ａに接続する際に設定値を設定する、設定値入力部１２ａを一体的に備えている。本実施形態において、電源アウトレット１１ａの設定値入力部１２ａは、電源アウトレット１１ａの被接続箇所に設けられており、可動するよう構成されている。例えば、電源アウトレット１１ａは、電源プラグ２ａが差し込まれる箇所が回転する構成となっており、回転することで設定値を入力する。
【００２９】
具体的には、電源アウトレット１１ａは、電源アウトレット１１ａを回転させることで設定値を入力可能なように、いわゆるロータリースイッチとしての構成を有している。ここで、ロータリースイッチとは、図３で示したように、接点を環状に配置したスイッチである。本実施形態においては、接点は５つある。電源アウトレット１１ａを回転させることで、電源アウトレット１１ａ内部の軸１１１が回転し、軸１１１の回転に合わせて接点が変化する。本実施形態では、上述した接点に応じた設定値が設定される。なお、本発明は接点が５つのロータリースイッチを想定しているが、本発明はロータリースイッチの接点の数には依存しない。また、電源プラグ２ａが差し込まれる箇所がスライドする構成になっており、スライドすることで設定値を入力するなど、別の可動でもよい。
【００３０】
電源アウトレット１１ａの表面側の周囲には、当該電源アウトレット１１ａの外周に沿って数字が記載されている。また、電源アウトレット１１ａの表面には、図３で示すように、ロータリースイッチの接点の位置を表す、三角形の矢印が付されている。電源アウトレット１１ａを回転させることで、三角形の矢印の指し示す先の数字が変化するが、かかる数字は上述したようにロータリーの接点の位置を示す。そのため、電源アウトレット１１ａの現在の接点に応じて設定される設定値を、外部から認識することが可能である。
【００３１】
例えば、図３の例では、電源アウトレット１１ａの回転位置によって、１〜５の数字を設定値として設定可能である。図３では三角形の矢印は「２」を示している。そのため、電源アウトレット１１ａの設定値は「２」となる。なお、電源アウトレット１１ａが設定可能な設定値は数字に限られずアルファベットなど何の値でもよい。また、一対の装置で異なっていてもよい。
【００３２】
無停電電源装置１ａは、上述したロータリースイッチを兼ねた電源アウトレット１１ａの他に、上述した設定値を設定値入力部１２ａより読み取り取得する、設定値取得部１３ａを備える。また、設定値取得部１３ａにより取得した設定値を管理サーバ３へと送信する、装置側通信部１４ａを備える。
【００３３】
設定値取得部１３ａは、上述した管理コンピュータ３からの指令を装置側通信部１４ａが受信した際に、設定値入力部１２ａから設定値を取得し、取得した設定値を装置側通信部１４ａへと送信する。
【００３４】
装置側通信部１４ａは、上述した設定値取得部１３ａが取得した設定値を、管理コンピュータ３へと送信する設定値送信部としての機能を有している。装置側通信部１４ａから管理コンピュータ３への設定値の送信は、上述したようにＵＳＢケーブル１０３ａを介して行われる。また、装置側通信部１４ａは、後述する管理コンピュータ３からの指令を受信する機能も備える。
【００３５】
なお、情報処理装置２ｂも無停電電源装置２ａと同様に、設定値入力部１２ｂ、設定値取得部１３ｂ、装置側通信部１４ｂを備えている。各部位が備える機能も、無停電電源装置２ａの各部位が備える機能と同等である。
【００３６】
次に、管理コンピュータ３の構成を説明する。
【００３７】
管理コンピュータ３は、上述した装置側通信部１４ａ、１４ｂと、後述する情報の送受信を行う管理側通信部３１を備える。また、無停電電源装置１ａや情報処理装置１ｂの情報や、管理側通信部３１が受信した設定値を記憶し、管理する情報管理部３２を備える。さらに、複数の装置からそれぞれ受信した設定値があらかじめ設定された基準に基づいて相互に対応する場合に、その相互に対応する設定値を持つ装置は接続関係にあると判断する接続判定部３３を備える。なお、上記各部３１、３２、３３は、管理コンピュータ３が備える演算装置にプログラムが組み込まれることで構築される。
【００３８】
管理側通信部３１は上述したように、無停電電源装置１ａや情報処理装置１ｂに対して、
設定値を取得するよう指令を送信する。また、管理側通信部３１は、当該指令を受けて装置側通信部１４ａ、１４ｂより送信される設定値を受信する。
【００３９】
情報管理部３２は、無停電電源装置１ａ、情報処理装置１ｂを識別するための情報、例えばＩＰアドレスを記憶する。また、情報管理部３２は、装置側通信部１４ａ、１４ｂより管理側通信部３１が受信した、装置側通信部１４ａを備える無停電電源装置１ａの設定値、装置側通信部１４ｂを備える情報処理装置１ｂの設定値を記憶し管理する。さらに、情報管理部３２は、後述する接続判定部３３により判断された、接続関係の情報を記憶し管理する。
【００４０】
接続判定部３３は、管理側通信部３１が受信した無停電電源装置１ａと情報処理装置１ｂの設定値に基づいて、当該無停電電源装置１ａと、情報処理装置１ｂとが接続関係にあるか否かを判定する。
【００４１】
上述した判定は、あらかじめ接続判定部３３に記憶されている基準に基づいて行われる。具体的には、同一の数字の設定値を持つ場合や、「Ａ」と「ａ」など対応する設定値を持つ場合に、当該同一または対応する設定値を持つ装置同士は接続関係にある、と判断する基準をあらかじめ接続判定部３３に記憶させておく。そして、接続判定部３３は、管理側通信部３１が受信した各設定値を、あらかじめ記憶させておいた基準に照らしあわせて、各設定を持つ装置同士が接続関係にあるか否か判断する。例えば、同一の数字の設定値をもつ装置は接続関係にあると判断するとあらかじめ記憶させていた場合、設定値「２」の無停電電源装置１ａと、設定値「２」の情報処理装置１ｂとは、接続判定部３３により接続関係にあると判断される。また、設定値「Ａ」と設定値「ａ」とを持つ装置は接続関係にあると判断するという基準が接続判定部３３に記憶されていた場合には、設定値「Ａ」の無停電電源装置１ａと、設定値「ａ」の情報処理装置１ｂとは、接続関係にあると接続判定部３３により判断される。なお、接続判定部３３が判断するための基準は、接続判定部３３に記憶されている場合に限られない。例えば、管理コンピュータ３の情報管理部３２に、接続関係にあるか否か判断する基準が記憶され、接続判定部３３は情報管理部３２に記憶された基準を参照して接続関係にあるか否かを判断する
という構成をとることも可能である。
【００４２】
なお、本実施形態においては、電源アウトレット１１ａが設定値入力部１２ａの機能を持ち、電源アウトレット１１ａを稼動させることで設定値を入力するとした。しかし、本発明は、電源ケーブル１０の電源プラグ２ａを電源アウトレット１１ａに接続するときに設定値を入力可能であればよい。そのため、必ずしも電源アウトレット１１ａを稼動させることで設定値を入力する必要はない。例えば、普段は設定値入力部１２ａで電源アウトレット１１ａを蓋するように配置して起き、電源アウトレット１１ａに電源ケーブルを接続する際に、蓋の役割を終えた設定値入力部で設定値を入力する、なども考えられる。
【００４３】
次に、図４乃至図１２を用いて、本実施形態における動作を説明する。
【００４４】
（動作）
本実施形態の動作は、電源ケーブル１０と無停電電源装置１ａとを接続することから始まる。例えば、ユーザが無停電電源装置１ａと情報処理装置１ｂとを、電源ケーブル１０で接続しようとしたとする。この場合、無停電電源装置１ａと情報処理装置１ｂとを接続するためにまず、電源ケーブル１０の備える電源プラグ２ａを、無停電電源装置１ａの備える電源アウトレット１１ａへと差し込む。そして、本実施形態においては、電源プラグ２ａを電源アウトレット１１ａへと差し込んだ際に、電源プラグ２ａを差し込んだ電源アウトレット１１ａを回転させ、設定値を設定する。例えば、電源アウトレット１１ａに付された三角形の矢印が、設定値「２」を示すように、電源アウトレット１１ａを回転させる。当該動作により、電源アウトレット１１ａを備える無停電電源装置１ａの設定値は「２」になる。
【００４５】
電源ケーブル１０と、情報処理装置１ｂとを接続する際も同様の動作を行う。つまり、電源ケーブル１０の備える電源プラグ２ｂを、情報処理装置１ｂの備える電源インレット１１ｂへと差し込み、当該電源プラグ２ｂを差し込んだ電源インレット１１ｂを回転させる。例えばこちらも、電源インレット１１ｂに付された三角形の矢印が、設定値「２」を示すように、電源インレット１１ｂを回転させる。当該動作により、電源インレット１１ｂを備える情報処理装置１ｂの設定値も「２」になる。
【００４６】
なお、無停電電源装置１ａと管理コンピュータ３、及び、情報処理装置１ｂと管理コンピュータ３は、上述したようにＵＳＢケーブルで接続されている。そのため、上述したように無停電電源装置１ａと情報処理装置とを接続することで、本実施形態を実施するための構成が完成する。次に、管理コンピュータ３から始動する情報の流れを説明する。
【００４７】
管理コンピュータ３は、情報管理部３２から、無停電電源装置１ａを識別するために情報管理部３２に保存されている情報、例えばＩＰアドレスを取り出して、管理側通信部３１へと渡す（ステップＳ００１）。そして、ＩＰアドレスを渡された管理側通信部３１は、当該ＩＰアドレスが指し示す装置である無停電電源装置１ａに対して、設定値を取得するよう指令を出す（ステップＳ００２）。
【００４８】
設定値を取得する旨の指令を、管理コンピュータ３の備える管理側通信部３１より受信した装置側通信部１４ａは、当該指令を設定値取得部１３ａへと送信する（ステップＳ００３）。当該指令を受信した設定値取得部１３ａは、電源アウトレット１１ａを回転させることで入力された設定値を検出し、取得する（ステップＳ００４）。そして、設定値を取得した設定値取得部１３ａは、当該設定値を装置側通信部１４ａへと送信し（ステップＳ００５）、当該設定値を送信された装置側通信部１４ａにより、設定値は、ＵＳＢケーブル１０３ａを介して管理コンピュータ３の備える管理側通信部３１へと送信される（ステップＳ００６）。
【００４９】
管理コンピュータ３は、管理コンピュータ３の管理側通信部３１が受信した設定値を情報管理部３２へと送信する（ステップＳ００７）。ここで、情報管理部３２には上述したように、無停電電源装置１ａのＩＰアドレスが記憶されている。情報管理部３２は、情報管理部３２に保管されている無停電電源装置１ａのＩＰアドレスと、上記動作により取得した無停電電源装置１ａの設定値を関連づけて記憶し管理する。
【００５０】
管理コンピュータ３が情報処理装置１ｂから設定値を取得する流れも上述した流れと同様である。つまり、管理コンピュータ３は、情報管理部３２から、情報処理装置１ｂを識別するための情報であるＩＰアドレスを取り出して、管理側通信部３１へと渡す（ステップＳ００８）。そして、ＩＰアドレスを渡された管理側通信部３１は、当該ＩＰアドレスが示す装置である情報処理装置１ｂに対して、設定値を取得するよう指令を出す（ステップＳ００９）。
【００５１】
設定値を取得する旨の指令を受信した装置側通信部１４ｂは、当該指令を設定値取得部１３ｂへと送信する（ステップＳ０１０）。そして、当該指令を受信した設定値取得部１３ｂは、電源インレット１１ｂを回転させることで入力された設定値を検出し、取得する（ステップＳ０１１）。設定値取得部１３ｂが取得した設定値は、装置側通信部１４ｂへと送信され（ステップＳ０１２）、当該装置側通信部１４ｂにより、設定値は、ＵＳＢケーブル１０３ａを介して管理コンピュータ３の備える管理側通信部３１へと送信される（ステップＳ０１３）。
【００５２】
そして、管理コンピュータ３は、管理コンピュータ３の管理側通信部３１が受信した設定値を情報管理部３２へと送信する（ステップＳ０１４）。ここで、情報管理部３２には無停電電源装置１ａの場合と同様に、情報処理装置１ｂのＩＰアドレスが記憶されている。そこで、情報管理部３２は、情報管理部３２に保管されている情報処理装置１ｂのＩＰアドレスと、上記動作により取得した情報処理装置１ｂの設定値と、を関連づけて記憶し管理する。
【００５３】
なお、本実施形態では、管理コンピュータからの指令を受けて、無停電電源装置１ａや情報処理装置１ｂに設定された設定値を管理コンピュータ３へと送信するとした。しかし、本発明は、上述したような、管理コンピュータ３からの指令を受けて設定値を管理コンピュータへと送信する場合に限定されない。例えば、電源アウトレット１１ａを回転させ、無停電電源装置１ａの設定値が変化するタイミングで、無停電電源装置１ａの側から管理コンピュータの側へ、設定値を送信する場合も含む。また、管理コンピュータ３から発生させる指令のタイミングは特に限定されない。例えば、停電が発生して無停電電源装置が稼働したタイミングで設定値を取得するよう指令を発してもよいし、一定の間隔で設定値を取得するよう指令を発して、定期的に設定値の情報のメンテナンスをしても構わない。
【００５４】
次に、接続判定部３３において行われる動作について説明する。
【００５５】
接続判定部３３は、情報管理部３２に記憶されているＩＰアドレスと、設定値と、を用いて、各装置が接続関係にあるか否かの判断を行う。本実施形態において、情報管理部３２には、無停電電源装置１ａのＩＰアドレスと、無停電電源装置１ａの設定値とが関連付けられて記憶されている。また、情報処理装置１ｂのＩＰアドレスと、情報処理装置１ｂの設定値とが関連付けられている。以下、その他の各種装置の設定値も情報管理部３２に記憶されている場合に、接続判定部３３が、無停電電源装置１ａと情報処理装置１ｂとは接続関係にある、と判断するために行う動作を説明する。
【００５６】
接続判定部３３はまず、無停電電源装置１ａのＩＰアドレスと、無停電電源装置１ａの設定値とが関連付けられた情報のうち、無停電電源装置１ａの設定値を読み出す（ステップＳ１０１）。次に、情報管理部３２に記憶されている各装置の設定値のうち、無停電電源装置１ａの設定値と同一の設定値を検索する（ステップＳ１０２）。ここで、上述したように無停電電源装置１ａの設定値は「２」である。また、情報処理装置１ｂの設定値も「２」である。よって、接続判定部３３は、無停電電源装置１ａの設定値「２」と同じ設定値「２」を持つ、情報処理装置１ｂを見つけ出す。そして、情報処理装置１ｂの設定値「２」には上述したように、情報処理装置１ｂのＩＰアドレスも関連付けて記憶されているため、接続判定部は、無停電電源装置１ａと接続関係にある情報処理装置１ｂを見つけだすことができる（ステップＳ１０３）。なお、接続判定部３３が無停電電源装置１ａと無停電電源装置１ａの設定値以外で同じ設定値を見つけられなかった場合には、接続判定部３３は、無停電電源装置１ａと接続関係にある装置はないと判断する（ステップＳ１０４）。
【００５７】
以上が、接続判断部３３にて行われる、接続関係を判断するための動作である。なお、構成の部分でも述べたように、接続判定部３３は、あらかじめ接続関係にあると判断する基準を記憶させておくことで、同一の設定値でなくても接続関係にあると判断することが可能である。また、接続判断部３３における接続関係にあるか否かの判断はいつ行っても構わない。例えば本実施形態のように、情報管理部３２が設定値を取得する毎にまたは一定のタイミングで、あらかじめ接続判断部３２が接続関係を判断しておき、接続判断部３３が判断した接続関係にあるか否かの情報を情報管理部３２に記憶しておいてもよい。または、停電が生じた際に、当該停電で稼働する無停電電源装置と接続関係にある装置を探すために、停電が生じて無停電電源装置が稼働したタイミングで、当該無停電電源装置と接続関係にある装置を、接続判断部３３により検索してもよい。本発明は、接続判断部による接続関係の判断のタイミングに依存しない。
【００５８】
上記手段により、接続関係を把握する際に非常に手間がかかるという問題を回避しつつ、また、電源ケーブルを本来意図していない通信に使用せずに、接続関係を把握することが可能になる。
【００５９】
＜実施形態２＞
次に、本発明の第２の実施形態を、図１３を用いて説明する。図１３は本実施形態の基本的な構成を示した図である。図１４は、本実施形態において、管理コンピューダ３の情報管理部３で管理される情報を示した表である。
【００６０】
本実施形態における接続状況把握システムは、第一の実施形態で説明したものと同様の構成を有する。第一の実施形態では無停電電源装置１ａと情報処理装置１ｂとの一対の装置の接続関係の把握を示した。一方で第二の実施形態では、無停電電源装置１ａと情報処理装置１ｂとで構成される一対の装置の他に、無停電電源装置１ａと情報処理装置１ｃとで構成される一対の装置が存在する。なお、図１３では、一対の装置が２組存在する場合を示したが、本発明は、一対の装置が２組の場合に限定されない。複数組の一対の装置が存在してもよい。
【００６１】
（構成）
本実施形態における接続状況把握システムの構成は、上述したように、第一の実施形態とほぼ同じである。無停電電源装置１ａと、情報処理装置１ｂと、情報処理装置１ｃと、管理コンピュータ３と、で構成され、無停電電源装置１ａと情報処理装置１ｂとは接続関係にある。また、無停電電源装置１ａと情報処理装置１ｃとも、接続される。無停電電源装置と管理コンピュータ３とがネットワークを介して接続されることも同様であり、情報処理装置１ｂと管理コンピュータ３との接続も、情報処理装置１ｃと管理コンピュータ３との接続も同様である。
【００６２】
また、第一の実施形態と同様に、情報処理装置１ｂは、電源インレット１１ｂ、設定値取得部１３ｂ、装置側通信部１４ｂを備える。同様に、情報処理装置１ｃは、電源インレット１１ｃ、設定値取得部１３ｃ、装置側通信部１４ｃを備える。
【００６３】
無停電電源装置１ａも同様に、設定値入力部の機能を持つ電源アウトレット、設定値取得部、装置側通信部を備える。しかし、本実施形態においては、複数の情報処理装置が無停電電源装置１ａに接続される。そのため、設定値入力部の機能を持つ電源アウトレットは、接続される情報処理装置の分必要となる。なお、情報取得部及び装置側通信部は、各電源アウトレット毎に設けてもよいし、無停電電源装置全体で一つの情報取得部及び装置側通信部を共有してもよい。上述したように、図１３は電源アウトレットを２つ備える無停電電源装置を図示したが、本実施形態の無停電電源装置は電源アウトレットを２つ備える無停電電源装置に限定されない。
【００６４】
（動作）
本実施形態における動作も、第一の実施形態とほぼ同様である。
【００６５】
管理コンピュータ３は、情報管理部３２から、情報処理装置１ｂを識別するための情報であるＩＰアドレスを取り出して、管理側通信部３１へと渡す。次に、ＩＰアドレスを渡された管理側通信部３１は、当該ＩＰアドレスが示す装置である情報処理装置１ｂに対して、設定値を取得するよう指令を出す。設定値を取得する旨の指令を受信した装置側通信部１４ｂは、当該指令を設定値取得部１３ｂへと送信する。そして、当該指令を受信した設定値取得部１３ｂは、電源インレット１１ｂを回転させることで入力された設定値を検出し取得し、設定値取得部１３ｂが取得した設定値を装置側通信部１４ｂへと送信する。そして、装置側通信部１４ｂにより、設定値取得部１３ｂが取得した設定値は、管理コンピュータ３の備える管理側通信部３１へと送信され、情報管理部３２で管理される。なお、図１３で示すように、情報処理装置１ｂの設定値は「２」であるとする。
【００６６】
情報処理装置１ｃに対しても、管理コンピュータ３は同様の働きかけをし、情報処理装置１ｃの設定値を取得し管理する。同様に図１３で示すように、情報処理装置１ｃの設定値は「３」である。
【００６７】
無停電電源装置１ａに各電源ケーブルを接続する際に設定する設定値は、各電源ケーブルと、各電源ケーブルのもう一方の接続先である情報処理装置１ｂ、１ｃとを接続する際に設定した設定値と同一になるように設定する。つまり、情報処理装置１ｂと電源ケーブルを介して接続する電源アウトレットの設定値は「２」になるように設定し、情報処理装置１ｃと電源ケーブルを介して接続する電源アウトレットの設定値は「３」になるように設定する。上述したように設定した設定値は、第一の実施形態と同様の流れを経て、管理コンピュータ３で管理される。
【００６８】
ここで、図１３で示す場合において、管理コンピュータ３の情報管理部３２ｂで管理される情報を図１４で示す。図１４で示すように、管理コンピュータ３には、一つのＩＰアドレスに関連付けられた電源アウトレットの設定値が２つあり、また、ＩＰアドレスと電源インレットの設定値が一対一で関連づけられている管理情報が二つ存在する。これは、上述したように、無停電電源装置１ａは電源アウトレットを２つ持つため２種類の設定値を持つが、電源アウトレットの２つの設定値はどちらも同じ無停電電源装置１ａで設定されており、ＩＰアドレスは同じになるためである。
【００６９】
上述した情報を用いて、接続判定部３３は接続関係の判断を行う。
【００７０】
接続判定部３３はまず、無停電電源装置１ａのＩＰアドレスと、２つの設定値とが関連付けられた情報のうち、２つの設定値のうちの一つを読み出す。例えば、設定値「２」と設定値「３」のうちの設定値「２」を読み出したとする。次に、読み出した設定値「２」を用いて、情報管理部３２に記憶されている各装置の設定値の中に、他の装置と関連付けられた設定値「２」がないか検索する。図１３の場合においては、上述したように、情報処理装置１ｂの電源インレットで設定された設定値が「２」である。よって、無停電電源装置１ａの設定値の一つである設定値「２」を用いて、情報処理装置１ｂの電源インレットで設定された設定値が「２」を検出する。情報処理装置１ｂの設定値「２」には、情報処理装置１ｂのＩＰアドレスが関連付けられているため、接続判定部３３は、無停電電源装置１ａと、情報処理装置１ｂとが接続関係にあることを判断することが出来る。
【００７１】
無停電電源装置１ａに設定される２つの設定値のうち、もう一方の設定値「３」についても同様に検索し、接続関係を判断する。同様の流れを辿り、接続判定部３３は、無停電電源装置１ａと、情報処理装置１ｃとが接続関係にあることも判断することが出来る。
【００７２】
以上が、本実施形態において行われる動作である。なお、設定値の他に、その設定値が設定されている電源アウトレットの情報も含めて無停電電源装置１ａの設定値取得部が取得し、それを管理コンピュータ３の情報管理部３３で管理することで、無停電電源装置１ａと、情報処理装置１ｂ、または無停電電源装置１ａと、情報処理装置１ｃの接続関係を把握するだけでなく、情報処理装置１ｂがどの電源アウトレットで無停電電源装置１ａと接続されているか判断することも可能である。これは、上述したように電源アウトレットの情報も無停電電源装置１ａの設定値取得部が取得する場合の他に、どの電源アウトレットにどの設定値を入力したかを、管理コンピュータ３の情報管理部にあらかじめ記憶させておくことでも可能である。
【００７３】
上述した手段により、一対の接続関係が複数ある場合でも、手間をかけずに、また、電源ケーブルを本来意図していない通信に使用せずに、その接続関係を把握することが可能になる。
【００７４】
＜付記＞
上記実施形態の一部又は全部は、以下の付記のようにも記載されうる。以下、本発明における接続状況把握システム、接続状況把握方法、装置、の概略を説明する。但し、本発明は、以下の構成に限定されない。
【００７５】
（付記１）
両端に接続端を有する接続ケーブルと、
前記接続ケーブルの両端に接続される一対の装置と、
前記一対の装置とそれぞれネットワークを介して接続される管理サーバと、を備え、
前記装置は、前記接続ケーブルの前記接続端が接続される被接続部と、
前記被接続部に前記接続ケーブルの前記接続端を接続するときに設定する設定値を入力可能な設定値入力部と、
前記設定値入力部に入力された前記設定値を前記管理サーバへ送信する設定値送信部と、を備え、
前記管理サーバは、
前記一対の装置が備える前記設定値送信部からそれぞれ送信された各前記設定値を受信して管理する、
接続状況把握システム。
【００７６】
この構成によると、まず、装置の被接続部にケーブルの接続端を接続するときに、設定値入力部にて設定値を入力する。そして装置は、入力された設定値を管理サーバに送信する。これにより、管理サーバは設定値を把握し接続関係を管理することが出来る。このように、接続時に設定値が入力され、当該設定値は自動的に管理されるため、容易かつ簡易な構成で、かつ低コストで、接続関係を管理することが可能になる。
【００７７】
（付記２）
付記１に記載の接続状況把握システムであって、
前記装置が備える前記被接続部は、当該被接続部の被接続箇所を稼働させることで前記設定値を入力可能である前記設定値入力部を備えて構成されている、
接続状況把握システム。
【００７８】
この構成によると、接続作業を行うと同時に、入力部を可動して設定値を入力できる。このため、容易に設定値を入力することができ、かつ、設定値の設定し忘れを防ぐことができる。さらに、被接続部と設定値入力部が一体として構成されているため、余分な構成を必要とせず他にスイッチを設けるスペースを省くことができる。
【００７９】
（付記３）
付記２に記載の接続状況把握システムであって、
前記被接続部が備える前記設定値入力部は、前記被接続箇所が回転することで前記設定値を入力可能なよう構成されている、
接続状況把握システム。
【００８０】
この構成によると、入力部を回すことで設定値を入力可能である。このため、例えば入力部をスライドさせて設定値を入力する場合など他の可動方法によって設定値を入力する場合と比較して、容易に設定値を入力することができる。またさらにスペースを省くことができる。
【００８１】
（付記４）
付記２又は３に記載の接続状況把握システムであって、
前記管理サーバは、
前記一対の装置が備える前記設定値送信部からそれぞれ送信された各前記設定値が同一である、またはあらかじめ設定された基準に基づいて相互に対応する、と判断される場合に、当該一対の装置が接続関係にあると判断する接続判定部を備える、
接続状況把握システム。
【００８２】
この構成によると、設定値を自動的に取得した管理サーバが、その接続関係の把握まで自動でおこなう。これにより、さらに容易かつ手間を省いて接続関係を把握することが可能になる。
【００８３】
（付記５）
付記４に記載の接続状況把握システムであって、
前記管理サーバが複数の一対の装置から設定値を受信する場合において、
前記接続判定部は、前記管理サーバが受信した複数の各前記設定値のうち、同一である、またはあらかじめ設定された基準に基づいて相互に対応する、設定値を一対の設定値と認定し、当該一対の設定値を持つ一対の装置は、接続関係にあると判断する、
接続状況把握システム。
【００８４】
（付記６）
接続ケーブルの両端に設けられた接続端に接続される装置であって、
前記装置は、前記接続ケーブルの前記接続端が接続される被接続部と、
前記被接続部に前記接続ケーブルの前記接続端を接続するときに設定する設定値を入力可能な設定値入力部と、
前記設定値入力部に入力された前記設定値を前記管理サーバへ送信する設定値送信部と、
を有する装置。
【００８５】
（付記７）
付記６に記載の装置であって、
前記被接続部は、当該被接続部の被接続箇所を稼働させることで前記設定値を入力可能である前記設定値入力部を備えて構成されている、
装置。
【００８６】
（付記８）
両端に接続端を有する接続ケーブルと、前記接続ケーブルの両端に接続される一対の装置と、前記装置とそれぞれ接続される管理サーバと、を備え、
前記装置は、前記接続ケーブルの前記接続端が接続される被接続部と、
設定値を入力可能な設定値入力部と、
前記設定値入力部に入力された前記設定値を前記理サーバへ送信する設定値送信部と、を備える、接続状況把握システムにて、
前記被接続部に前記接続ケーブルの前記接続端を接続する際に、前記設定値入力部で前記設定値を入力し、前記設定値入力部で入力した前記設定値を前記設定値送信部で管理サーバへと送信し、
管理サーバは、前記一対の装置からそれぞれ受信した前記設定値が、あらかじめ設定された基準に基づいて相互に対応すると判断される場合に、当該一対の装置が接続関係にあると判断する、
接続状況把握方法。
【００８７】
（付記９）
付記８に記載の接続状況把握方法であって、
前記設定値の入力は、
前記被接続部に前記接続ケーブルの前記接続端を接続する際に、前記被接続部を稼動させて設定値を入力することで行われる、
接続状況把握方法。
【符号の説明】
【００８８】
１ａ  無停電電源装置
１ｂ  情報処理装置
１０  電源ケーブル
１１ａ  電源アウトレット
１１ｂ  電源インレット
１２  設定値入力部
１３  設定値取得部
１４  装置側通信部
１０３  ＵＳＢケーブル
１１１  軸
２  電源プラグ
３  管理コンピュータ
３１  管理側通信部
３２  情報管理部
３３  接続判定部
【図１】
2014194681.tif 000003
【図２】
2014194681.tif 000004
【図３】
2014194681.tif 000005
【図４】
2014194681.tif 000006
【図５】
2014194681.tif 000007
【図６】
2014194681.tif 000008
【図７】
2014194681.tif 000009
【図８】
2014194681.tif 000010
【図９】
2014194681.tif 000011
【図１０】
2014194681.tif 000012
【図１１】
2014194681.tif 000013
【図１２】
2014194681.tif 000014
【図１３】
2014194681.tif 000015
【図１４】
2014194681.tif 000016